(57)【要約】【課題】グレンシーブへの脱穀物の堆積及び詰まりを軽減するコンバインを提供する。【解決手段】脱穀部に揺動選別装置を備えるコンバインであって、前記揺動選別装置を構成するグレンシーブの選別孔に入り込むことが可能な目通し部材が前記グレンシーブに設けられるとともに、前記揺動選別装置に対して前記目通し部材が揺動方向に移動可能に構成される。また、前記目通し部材が外周面に設けられる棒体が前記グレンシーブの下方に設けられ、前記グレンシーブの下部に前記棒体を揺動方向に移動可能に支持する支持溝が形成されるとともに、前記目通し部材は、弾性変形可能なブラシによって構成される。【選択図】図４
2016149958.tif 000002
【特許請求の範囲】
【請求項１】
脱穀部に揺動選別装置を備えるコンバインであって、
前記揺動選別装置を構成するグレンシーブの選別孔に入り込むことが可能な目通し部材が前記グレンシーブに設けられるとともに、
前記揺動選別装置に対して前記目通し部材が揺動方向に移動可能に構成されることを特徴とするコンバイン。
【請求項２】
前記目通し部材が外周面に設けられる棒体が前記グレンシーブの下方に設けられ、
前記グレンシーブの下部に前記棒体を揺動方向に移動可能に支持する支持溝が形成されるとともに、
前記目通し部材は、弾性変形可能なブラシによって構成される請求項１に記載のコンバイン。
【請求項３】
前記支持溝における前記棒体の移動端には、弾性体が設けられる請求項２に記載のコンバイン。
【請求項４】
前記棒体は、前記揺動選別装置に複数設けられる請求項２又は３に記載のコンバイン。
【請求項５】
脱穀部に揺動選別装置を備えるコンバインであって、
前記揺動選別装置を構成するグレンシーブの選別孔に入り込むことが可能な目通し部材が外周面に設けられる棒体が前記グレンシーブの下方に設けられるとともに、
前記棒体は、前記揺動選別装置を前記揺動方向に支持する機体フレームに対する位置を保持することを特徴とするコンバイン。
【発明の詳細な説明】
【技術分野】
【０００１】
本発明は、コンバインに関する。
【背景技術】
【０００２】
従来、扱胴によって脱穀された処理物を揺動選別装置によって揺動選別し、該揺動選別された処理物を風選別装置によって風選別することで処理物から穀粒を選別するコンバインが開示されている。
揺動選別装置は、フィードパン、チャフシーブ、グレンシーブ及びストローラック等を備える。チャフシーブの下方に配置されるグレンシーブは、チャフシーブから落下する処理物を揺動選別している。
【先行技術文献】
【特許文献】
【０００３】
【特許文献１】特開２０１１−０１５６３７号公報
【発明の概要】
【発明が解決しようとする課題】
【０００４】
グレンシーブは格子状の網によって構成され、チャフシーブから漏下（落下）する脱穀物（処理物）を網目を介して揺動選別している。
しかし、チャフシーブから漏下される脱穀物が湿っていたりすると、グレンシーブを構成する格子状の網に脱穀物が堆積したり、詰まったりすることで、グレンシーブの揺動選別性能が損なわれる場合があった。
そこで、本発明は、グレンシーブへの脱穀物の堆積及び詰まりを軽減するコンバインを提供する。
【課題を解決するための手段】
【０００５】
本発明のコンバインは、脱穀部に揺動選別装置を備えるコンバインであって、前記揺動選別装置を構成するグレンシーブの選別孔に入り込むことが可能な目通し部材が前記グレンシーブに設けられるとともに、前記揺動選別装置に対して前記目通し部材が揺動方向に移動可能に構成される。
【０００６】
前記目通し部材が外周面に設けられる棒体が前記グレンシーブの下方に設けられ、前記グレンシーブの下部に前記棒体を揺動方向に移動可能に支持する支持溝が形成されるとともに、前記目通し部材は、弾性変形可能なブラシによって構成される。
【０００７】
前記支持溝における前記棒体の移動端には、弾性体が設けられる。
【０００８】
前記棒体は、前記揺動選別装置に複数設けられる。
【０００９】
本発明の第二態様に係るコンバインは、脱穀部に揺動選別装置を備えるコンバインであって、前記揺動選別装置を構成するグレンシーブの選別孔に入り込むことが可能な目通し部材が外周面に設けられる棒体が前記グレンシーブの下方に設けられるとともに、前記棒体は、前記揺動選別装置を前記揺動方向に支持する機体フレームに対する位置を保持する。
【発明の効果】
【００１０】
本発明によれば、グレンシーブへの脱穀物の堆積及び詰まりを軽減することができる。
【図面の簡単な説明】
【００１１】
【図１】コンバインの側面図である。
【図２】脱穀部及び穀粒貯留部の正面図である。
【図３】脱穀部の側面断面図である。
【図４】グレンシーブを示す斜視図である。
【図５】グレンシーブの一部拡大側面図である。
【図６】目通し部材の別実施形態を示す図である。
【図７】グレンシーブに設けられる複数の棒体を示す側面図である。
【図８】脱穀部に固定される棒体を示す側面図である。
【図９】目通し部材の別実施形態を示す図である。
【発明を実施するための形態】
【００１２】
添付の図面を参照して、本発明の一実施形態に係るコンバイン１について説明する。なお、本発明の技術的思想は、以下に説明する自脱型コンバインに限るものではなく、いわゆる汎用型コンバインにも適用することが可能である。
【００１３】
コンバイン１は、主に走行部２と、刈取部３と、脱穀部４と、穀粒貯留部５と、排藁処理部６と、駆動部７と、運転部８と、で構成されている。
【００１４】
走行部２は、機体フレーム１１の下方に設けられている。走行部２は、主に左右一対のクローラ式走行装置１２・１２で構成される。後述するエンジン２９の動力はクローラ式走行装置１２・１２へ伝達されることで、コンバイン１を前後方向に走行及び左右方向に旋回させる。
【００１５】
刈取部３は、走行部２の前方に設けられる。刈取部３は、主に刈取フレーム１３と、穀稈を刈取条数分に分草する分草体１４と、穀稈を引き起こす引起装置１５と、穀稈の株元を切断する刈刃１６と、穀稈を掻込搬送する掻込搬送装置１７と、脱穀部４に設けられる後述のフィードチェーン２１の始端部に向けて搬送する上部搬送装置１８と、引継チェーン装置１９と、縦搬送装置２０と、で構成される。
【００１６】
脱穀部４は、刈取部３の後方に設けられる。脱穀部４は、主に刈取部３から供給される穀稈を搬送するフィードチェーン２１と、フィードチェーン２１から搬送された穀稈を脱穀する扱胴２２と、扱胴２２から落下した脱穀物を穀粒と藁屑等に選別する揺動選別装置２３と、揺動選別装置２３によって選別された脱穀物を更に穀粒と藁屑などに選別する風選別装置２４ａ・２４ｂと、で構成される。
【００１７】
穀粒貯留部５は、脱穀部４の右側方に設けられている。穀粒貯留部５は、主に脱穀部４から搬送される穀粒を一時的に貯留するグレンタンク２５と、グレンタンク２５に貯留される穀粒を外部に排出する排出オーガ２６と、で構成される。
【００１８】
排藁処理部６は、機体フレーム１１の後部であって、脱穀部４の後方に設けられる。排藁処理部６は、主に排藁搬送装置２７と、排藁切断装置２８と、で構成される。排藁処理部６は、脱穀部４から搬送される脱穀物を、排藁搬送装置２７で受継いで排藁として外部へ排出、又は、排藁搬送装置２７から排藁切断装置２８に搬送して切断した後に機体の外部へ排出するように構成される。
【００１９】
駆動部７は、機体フレーム１１の右側部であって、穀粒貯留部５の前方に設けられる。駆動部７は、主にエンジン２９と、変速装置３０と、で構成される。エンジン２９の動力を駆動源として、変速装置３０を介して走行部２に動力を伝達し、ベルト等の伝達機構を介して、刈取部３や脱穀部４や穀粒貯留部５や排藁処理部６に動力を伝達している。
【００２０】
運転部８は、機体フレーム１１の右側部であって、刈取部３の搬送装置の右側方に設けられる。運転部８は、主に座席と、操向操作手段であるハンドルと、主変速レバー等の操作レバーと、キャビン３１と、で構成される。キャビン３１は、座席と、ハンドルと、操作レバーと、を覆うように構成される。
【００２１】
図２及び図３を用いて揺動選別装置２３について説明する。
揺動選別装置２３は、主に扱胴２２の下方に位置するフィードパン４１ａ・４１ｂと、フィードパン４１ａ・４１ｂの後方に位置するチャフシーブ４２と、チャフシーブ４２の下方に位置するグレンシーブ４３と、グレンシーブ４３の後方に位置するストローラック４４と、によって構成される。揺動選別装置２３は、前後方向に揺動することで扱胴２２によって脱穀された脱穀物を選別している。
【００２２】
扱胴２２により脱穀された脱穀物は、フィードパン４１ａに受けられて、該フィードパン４１ａよりチャフシーブ４２に供給されて粗選別される。チャフシーブ４２より漏下した穀粒等と藁屑は、フィードパン４１ｂに受けられて、グレンシーブ４３に搬送される。グレンシーブ４３は、穀粒等と藁屑をさらに選別する。選別された脱穀物は風選別装置２４ａに案内される。
【００２３】
チャフシーブ４２よりストローラック４４に移送された穀粒等と藁屑とを、ストローラック４４によってほぐすことにより選別する。選別された脱穀物は風選別装置２４ｂに案内される。
【００２４】
図４を用いてグレンシーブ４３について説明する。
グレンシーブ４３は、チャフシーブ４２の下方に配置される。グレンシーブ４３は、揺動することで選別部として作用するものであり、格子状の網によって構成される。グレンシーブ４３は、選別孔４３ａ（網目）を介してチャフシーブ４２から漏下する脱穀物を選別している。
【００２５】
具体的には、チャフシーブ４２から漏下する穀粒、未熟穀粒、枝梗付着粒及び細かい藁屑等のうち、穀粒、未熟穀粒及び細かい藁屑等は、グレンシーブ４３の選別孔４３ａを通過して下方に落下する。
そして、風選別装置２４によって風選されることで、落下された穀粒、未熟穀粒及び細かい藁屑等のうち、穀粒がグレンタンク２５に搬送される。
【００２６】
図４に示すように、グレンシーブ４３の下方には、棒体５１が設けられる。
棒体５１は、揺動選別装置２３を構成するグレンシーブ４３に対して揺動方向に移動可能に構成される。
棒体５１は、円柱形状に形成される。グレンシーブ４３の一側及び他側（本実施形態では左側及び右側）の下部には、揺動方向を長手方向とする長穴状の支持溝５２・５２が形成される。棒体５１の端部がそれぞれ該支持溝５２・５２内を移動可能に支持されることで、棒体５１はグレンシーブ４３に対して揺動方向に移動可能に支持される。
【００２７】
本実施形態では、棒体５１は円柱形状に形成されているが、棒体５１が支持溝５２内を移動可能に構成されるならば、これに限定されない。例えば、棒体５１を略三角柱形状に形成し、支持溝５２内を摺動可能に構成してもよい。また、棒体５１を略楕円柱形状に形成し、支持溝５２内を移動可能に構成してもよい。
【００２８】
図４及び図５に示すように、棒体５１の外周面には、グレンシーブ４３の選別孔４３ａに入り込むことが可能な目通し部材が設けられる。
目通し部材は弾性変形可能なブラシ５１ａによって構成される。ブラシ５１ａは、棒体５１の外周面に放射状に形成される多数の繊維等によって構成される。ブラシ５１ａを構成する繊維等は、選別孔４３ａに入り込んだ状態において、少なくとも選別孔４３ａの上方に延出される程度の長さに形成される。
【００２９】
棒体５１は、揺動されるグレンシーブ４３からの力とグレンシーブ４３の選別孔４３ａに入り込むブラシ５１ａの抵抗力によって、支持溝５２内を揺動方向に移動する。棒体５１のグレンシーブ４３に対する揺動方向への移動に伴って、ブラシ５１ａはグレンシーブ４３に対して揺動方向に移動する。このように、グレンシーブ４３に対して目通し部材であるブラシ５１ａが揺動方向に移動可能に構成されることで、グレンシーブ４３を構成する複数の選別孔４３ａに下方からブラシ５１ａが入り込むことを可能とする。複数の選別孔４３ａに下方からブラシ５１ａが入り込むことで、グレンシーブ４３の網（特に網と網との交差部）に堆積する脱穀物や詰まる脱穀物を下方から押し上げてばらしたり、浮かせたりすることができ、脱穀物の堆積や詰まりを軽減できる。
【００３０】
図６を用いて、目通し部材の別実施形態を説明する。
棒体５３に、目通し部材として円筒状体５４が相対回転可能に取り付けられる。円筒状体５４は、合成樹脂やゴム等によって形成される。円筒状体５４は、その円周方向に沿って所定の間隔を空けて凸部５４ａが設けられる。凸部５４ａは、グレンシーブ４３の選別孔４３ａに入り込むことができるように、円筒状体５４の長手方向に沿って所定の間隔を空けて設けられる。
【００３１】
以上の構成において、揺動されるグレンシーブ４３からの力とグレンシーブ４３の選別孔４３ａに入り込む円筒状体５４の凸部５４ａの抵抗力によって、棒体５３は支持溝５２内を揺動方向に移動する。棒体５３のグレンシーブ４３に対する揺動方向への移動に伴って、円筒状体５４はグレンシーブ４３に対して揺動方向に移動する。このように、グレンシーブ４３に対して目通し部材である円筒状体５４が揺動方向に移動可能に構成されることで、揺動方向に隣接する選別孔４３ａに、下方から凸部５４ａが順に入り込むことを可能とする。凸部５４ａが選別孔４３ａに入り込むことによって、グレンシーブ４３の網（特に網投網との交差部）に堆積する脱穀物や詰まる脱穀物を下方から押し上げてばらしたり、浮かせたりすることで、脱穀物の堆積や詰まりを軽減できる。
【００３２】
図４に示すように、支持溝５２における棒体５１の移動端には、それぞれ弾性体５５が設けられる。
本実施形態では、弾性体５５はコイルバネによって構成される。弾性体５５は、その伸縮方向が支持溝５２の長手方向と重なるように設けられる。弾性体５５の一端は支持溝５２の端部に固定され、弾性体５５の他端は支持溝５２の中央に向けて延出される。
棒体５１がグレンシーブ４３の揺動に応じて支持溝５２内を移動して、支持溝５２の端部に移動した時に棒体５１が弾性体５５に衝突することで、弾性体５５は圧縮されて弾性エネルギーを蓄積する。弾性体５５は蓄積された弾性エネルギーを放出することで、棒体５１は支持溝５２における反対側の端部に向けて押し出される。
【００３３】
以上のように、弾性体５５によって、棒体５１に生じる力の一部を棒体５１の押圧力に変換することで、棒体５１が支持溝５２内を移動しやすくなり、グレンシーブ４３を構成する複数の選別孔４３ａに目通し部材が入り込む回数を増やすことができる。そのため、グレンシーブ４３の脱穀物の堆積及び詰まりを効率的に軽減できる。
【００３４】
なお、支持溝５２の端部（支持溝５２における棒体５１の移動端）に弾性体５５を設けなくてもよい。この場合、棒体５１は、支持溝５２内を移動して支持溝５２の端部に衝突する。棒体５１が支持溝５２の端部への衝突による振動によって、グレンシーブ４３に堆積する脱穀物や詰まっている脱穀物をばらけさせたり、動かしたりすることができる。そのため、脱穀物の堆積や詰まりを軽減することが期待できる。
【００３５】
また、棒体５１は、その円周方向における重さを不均一になるように成形してもよい。棒体５１の円周方向における重さを不均一とすることで、グレンシーブ４３の揺動時に、棒体５１に重量による回転力が発生することで、棒体５１の移動範囲を大きくすることができる。そのため、グレンシーブ４３を構成する複数の選別孔４３ａへ目通し部材が入り込みやすくなる。そのため、脱穀物の堆積や詰まりを軽減することが期待できる。
【００３６】
図７に示すように、揺動選別装置２３を構成するグレンシーブ４３の下方に棒体５１を複数設けることができる。
棒体５１の数に応じて支持溝５２・５２に所定の間隔を空けて仕切り板５６を設けることで、支持溝５２は分割される。分割された支持溝５２・５２にそれぞれ棒体５１の端部が移動可能に支持される。
上記の構成と同様に、支持溝５２の棒体５１の移動端には弾性体５５を設けることができる。
【００３７】
グレンシーブ４３の下方に棒体５１が複数設けられることで、グレンシーブ４３を構成する選別孔４３ａに目通し部材が入り込む回数を増やすことができる。そのため、脱穀物の堆積や詰まりを効果的に軽減することができる。
【００３８】
図８に示すように、棒体５１は、機体フレーム１１に対する位置を保持するように設けることができる。揺動選別装置２３は、揺動方向（本実施形態では、前後方向）に揺動可能に機体フレーム１１に支持されている。そのため、棒体５１は機体フレーム１１に対する位置を保持することで、揺動選別装置２３の揺動に応じて移動しない。
つまり、揺動選別装置２３は、揺動時に、棒体５１に対する位置が揺動方向に変更される。
【００３９】
以上の構成において、棒体５１は、揺動選別装置２３の揺動幅内に位置する所定の選別孔４３ａのみに目通し部材が入り込むことになる。つまり、揺動選別装置２３の揺動幅に応じて目通し部材が入り込む選別孔４３ａが決定される。そのため、揺動選別装置２３の揺動幅に応じて棒体５１を複数設けることで、グレンシーブ４３を構成する選別孔４３ａに目通し部材が入り込む回数を増やすことができる。そのため、脱穀物の堆積や詰まりを効果的に軽減することができる。
【００４０】
なお、グレンシーブ４３の下方に複数の棒体５１が設けられる場合、複数の棒体５１のうち任意の棒体５１を、機体フレーム１１に対する位置を保持するように設け、任意の棒体５１を、グレンシーブ４３の下方に設けられる支持溝５２に移動可能に支持することもできる。
例えば、グレンシーブ４３の下方前部に位置する棒体５１を機体フレーム１１に固定して、グレンシーブ４３の下方後部に位置する棒体５１を支持溝５２に移動可能に支持する。
【００４１】
以上のように、グレンシーブ４３の位置に応じて棒体５１の支持方法を変更することで、脱穀物が詰まりやすいグレンシーブ４３の前部に位置する選別孔４３ａに目通し部材が複数回入り込むことで、脱穀物の堆積や詰まりを効果的に軽減できる。
【００４２】
図９を用いて、目通し部材の別実施形態を説明する。
棒体６１は、グレンシーブ４３を構成する網（隣接する選別孔４３ａ間）の下部に左右方向を長手方向として固定される。棒体６１は、円柱形状に形成される。棒体６１には、ワイヤ６２を介して略錨状に形成される重り６３（目通し部材）が吊り下げられる。
【００４３】
以上の構成において、揺動されるグレンシーブ４３からの力によって、重り６３が揺動方向に振り子運動する。重り６３の振り子運動によって、棒体６１の前後に位置する選別孔４３ａに重り６３が入り込むことによって、グレンシーブ４３の網（特に網投網との交差部）に堆積する脱穀物や詰まる脱穀物を下方から押し上げてばらしたり、浮かせたりすることで、脱穀物の堆積や詰まりを軽減できる。
【符号の説明】
【００４４】
１：コンバイン、４：脱穀部、２３：揺動選別装置、４３：グレンシーブ、４３ａ：選別孔、５１：棒体、５２：支持溝、５５：弾性体、５６：仕切り板
【図１】
2016149958.tif 000003
【図２】
2016149958.tif 000004
【図３】
2016149958.tif 000005
【図４】
2016149958.tif 000006
【図５】
2016149958.tif 000007
【図６】
2016149958.tif 000008
【図７】
2016149958.tif 000009
【図８】
2016149958.tif 000010
【図９】
2016149958.tif 000011